(57)【要約】【課題】空気調和機における室内機の保守作業性を向上させる。【解決手段】ファンモータを室内機内の通風路から仕切るファンモータ前面カバー５と、ファンモータを固定するファンモータ側面カバーと、を備える空気調和機であって、ファンモータ側面カバーが複数個の側面カバー（６，７）に分割可能であり、側面カバー（６，７）には、背面ケーシングに固定される奥カバー７が含まれ、奥カバー７以外の各側面カバー６が室内機から取り外された状態において、奥カバー７はファンモータを下方から支持することを特徴とする。【選択図】図３
2012112546.tif 000002
【特許請求の範囲】
【請求項１】
ファンを回転させるファンモータを室内機内の通風路から仕切るファンモータ前面カバーと、前記ファンモータを固定するファンモータ側面カバーと、を備える空気調和機であって、
前記ファンモータ側面カバーは複数個の側面カバーに分割可能であり、
前記側面カバーには、背面ケーシングに固定される奥カバーが含まれ、
前記奥カバー以外の前記側面カバーが前記室内機から取り外された状態において、前記奥カバーは前記ファンモータを下方から支持すること
を特徴とする空気調和機。
【請求項２】
前記ファンモータ側面カバーの隣には電装品箱が収容されており、前記ファンモータの取り外しに際しては、前記電装品箱を前方に引き抜くことで、前記ファンモータ取り外しの作業スペースを確保すること
を特徴とする請求項１に記載の空気調和機。
【請求項３】
前記奥カバーと前記背面ケーシングとの固定部が１箇所であること
を特徴とする請求項１又は請求項２に記載の空気調和機。
【請求項４】
前記ファンモータ側面カバーを前記背面ケーシングに固定する固定部は、所定の固定具により固定され、
前記固定部は、前記固定具が取り外される際の前記固定具の進行方向が、前記室内機の側面と略平行になるように形成されること
を特徴とする請求項１乃至請求項３のいずれか一項に記載の空気調和機。
【発明の詳細な説明】
【技術分野】
【０００１】
本発明は、空気調和機における室内機の保守作業性を向上させる技術に関する。
【背景技術】
【０００２】
空気調和機の室内機には、通常、ファンモータを室内機内の通風路から仕切るとともに、ファンモータの振動音が外部に漏れることを防止するためのカバーが設置されている。
特許文献１には、ベースに、前面固定部と載置部と後面固定部とからなるファンモータの固定部を設けた空気調和機について記載されている。上記後面固定部は、挿入溝に挿入される挿入部を備え、長円孔と上部押さえ部とを設けた第一固定具と、接合部と下部押さえ部とからなる第二固定具とにより構成される。また、上記第一固定具と第二固定具とによってファンモータの防振部材を挟持する。
【０００３】
特許文献２には、ファンモータを嵌めこむためにベースに設けられたモータ固定座に、ファンモータを室内機ファンから離間可能とする間隙部が設けられた空気調和機について記載されている。なお、当該ファンモータは上部モータカバー及び側部モータカバーによって固定される。
特許文献３には、モータ固定部材を背面ケーシングから取り外した状態でファンモータがファンの側方に移動自在な移動空間を形成するように構成された空気調和機について記載されている。なお、当該ファンモータはモータ台及びモータ固定カバーによって固定される。
【先行技術文献】
【特許文献】
【０００４】
【特許文献１】特開２００３−２０７１５３号公報
【特許文献２】特開２００３−２６２３５４号公報
【特許文献３】特開平１１−１７３５９１号公報
【発明の概要】
【発明が解決しようとする課題】
【０００５】
特許文献１に記載の空気調和機では、第二固定具を固定するネジが室内機の側方からネジ止めされる。保守作業において室内機からファンモータを取り外す際には第二固定具を取り外す必要があるが、その場合、室内機の側方から工具を操作しなければならなくなる。特に、ファンモータが取り付けられている側の壁際に室内機が設置されている場合には、壁と室内機との空間が狭いため、保守作業が困難になるという問題があった。
【０００６】
また、特許文献２に記載の空気調和機では、室内機からファンモータを取り外す際に、上部モータカバー及び側部モータカバーを取り外すこととなる。したがって、上部モータカバー等を取り外すための空間が必要となるため、上部モータカバーの上方に近接して熱交換器のパイプ等を設けることができないという問題があった。また、特許文献２に記載の空気調和機では、側部モータカバーを固定する箇所が複数ある。したがって、上部モータカバーを取り外した後、作業者は一方の手でファンモータを支えながら、他方の手で側部モータカバーを固定するネジを外す作業を複数回行わねばならず、作業者に負担がかかるという問題があった。
【０００７】
また、特許文献３に記載の空気調和機では、室内機からファンモータを取り外す際に、モータ台及びモータ固定カバーを取り外すこととなる。この場合にも、上記特許文献２に記載の空気調和機と同様に、モータ固定カバーの上方に近接してサイクルパイプ等を設けることができないという問題や、ファンモータを取り外す際に作業者に負担がかかるという問題があった。
【０００８】
そこで本発明は、空気調和機における室内機の保守作業性を向上させることを課題とする。
【課題を解決するための手段】
【０００９】
前記課題を解決し、本発明の目的を達成するために、以下のように構成した。
すなわち、ファンモータを固定するファンモータ側面カバーが複数個の側面カバーに分割可能であり、前記側面カバーには、背面ケーシングに固定される奥カバーが含まれ、前記奥カバー以外の前記側面カバーが室内機から取り外された状態において、前記奥カバーは前記ファンモータを下方から支持するように構成した。
【発明の効果】
【００１０】
本発明により、空気調和機における室内機の保守作業性を向上させることができる。
【図面の簡単な説明】
【００１１】
【図１】一般的な空気調和機の構成を示す図である。
【図２】本発明の第１実施形態に係る空気調和機の室内機の構成を示す分解斜視図である。
【図３】本発明の第１実施形態に係る空気調和機の室内機のファンモータ前面カバー及びファンモータ側面カバーの構成を示す分解斜視図である。
【図４】本発明の第１実施形態に係る空気調和機の室内機から、前面ケーシング及び電装品箱を取り外した場合の斜視図である。
【図５】本発明の第１実施形態に係る空気調和機の室内機において、背面ケーシングにファンモータ側面カバーの奥カバー及びファンモータ前面カバーが取り付けられた場合の部分拡大図である。
【図６】本発明の第１実施形態に係る空気調和機の室内機におけるファンモータ前面カバー及びファンモータ側面カバーの右側面図である。
【図７】本発明の第１実施形態に係る空気調和機の室内機において、背面ケーシング、ファン、ファンモータ、ファンモータ前面カバー、及びファンモータ側面カバーを設置した状態を示す斜視図である。
【図８】本発明の第１実施形態に係る空気調和機の室内機において、図７の状態からファンモータ側面カバーの手前カバーを取り外した状態を示す斜視図である。
【図９】本発明の第１実施形態に係る空気調和機の室内機において、図８の状態からファンモータ側面カバーの奥カバーを取り外した状態を示す斜視図である。
【発明を実施するための形態】
【００１２】
≪第１実施形態≫
本発明の実施形態について、適宜図面を参照しながら詳細に説明する。なお、各図において、共通する部分には同一の符号を付し、重複した説明を省略する。
【００１３】
＜空気調和機の構成＞
図１は、一般的な空気調和機の構成を示す図である。図１において、空気調和機Ａは室内機１と、室外機２とが冷媒配管（図示せず）によって接続されている。
空気調和機Ａの運転時には、室内機１と室外機２との間で冷媒配管（図示せず）を介して冷媒を循環させる。当該冷媒は室内機１の熱交換器８（図２参照）内の伝熱管（図示せず）を流れており、室内機１においてファン９（図２参照）によって取り入れた空気を、熱交換によって加熱又は冷却する。
【００１４】
リモコン（remote controller)３はユーザ（図示せず）によって操作され、室内機１の信号受信部（図示せず）に対し赤外線信号を送信する。当該信号は運転要求、設定温度の変更、タイマ、運転モードの変更、停止要求等の指令である。空気調和機Ａは、これらの信号に基づいて、冷房モード、暖房モード、除湿モード等の空調運転を行う。
ファン９（図２参照）が回転すると、室内空気が室内機１に設けられた空気吸込み口（図示せず）から吸い込まれ、熱交換器８、ファン９を通り、温湿度が調整された空気が空気吹出し口(図示せず)から吹出されて室内を空調する。なお、空気調和機Ａの運転時における動作の詳細については、その説明を省略する。
【００１５】
図２は、本発明の第１実施形態に係る空気調和機の室内機の構成を示す分解斜視図である。空気調和機Ａの室内機１は、熱交換器８、ファン９、ファンモータ４、ファンモータ前面カバー５、ファンモータ側面カバーＫ（手前カバー６、奥カバー７）、及び電装品箱１２が背面ケーシング１０に取り付けられている。また、背面ケーシング１０は据付板１１によって壁面に設置されている。
その他、室内機１には、フィルタ１４（図４参照）、ドレンパン（図示せず）、露受皿（図示せず）、赤外線センサ(図示せず)等が収納されるが、これらについては、その説明を省略する。
なお、背面ケーシング１０に上記の各機器を設置した後、室内機１の前方から前面ケーシング（図示せず）を背面ケーシング１０に嵌めることとなる。
【００１６】
熱交換器８は、複数本の伝熱管が貫通するフィン（図示せず）が所定の間隔をあけて多数枚積層され、室内機１を側面視して逆Ｖ字型に成形されている。上記伝熱管は、冷媒配管（図示せず）を介して室外機２と接続されており、冷房サイクル又は暖房サイクル等を構成する。
熱交換器８は、ファン９により室内機１内に引き込まれてフィルタ（図示せず）を通過した空気と熱交換し、空気を冷却又は加熱するように構成されている。
【００１７】
ファン９は、円筒形に成形されたクロスフローファン型のファンで、両端部及びファンの中心軸方向に複数箇所設けられる円筒形の仕切り板と、一方の仕切り板から他方の仕切り板に向けて延び且つ円周状に配置される多数の羽根とにより構成されている。
ファン９は、中心軸周りに回転して送風動作を行うように構成されている。
【００１８】
ケーシングは、前面ケーシング（図示せず）と背面ケーシング１０とにより構成され、前面ケーシングの前面及び上面に吸い込み口（図示せず）が形成され、前面ケーシングの下面に吹き出し口（図示せず）が形成されている。前面ケーシングの吸い込み口には、埃などの浮遊物が室内機１の内部に侵入するのを防ぐためのフィルタ１４（図４参照）が設置されている。
また、据付板１１は背面ケーシング１０を壁面に固定している。
【００１９】
電装品箱１２は、室内機１の背面ケーシング１０内の左右一方の端に設置され、内部に空気調和機Ａの各動作を制御するための制御回路（図示せず）を搭載している。図２において電装品箱１２は、室内機１の右端に設置されている。この電装品箱１２は、背面ケーシング１０にネジ止めされており、接続されている各リード線（図示せず）を取り外し、さらに固定されているネジ（図示せず）を取り外すことで、背面ケーシング１０から外すことができる。
なお、電装品箱１２を取り外した後にできる空間は、さらにファンモータ側面カバーＫ（手前カバー６及び奥カバー７）を取り外した後にファンモータ４を室内機１から取り出す際の搬出路となる。つまり、電装品箱１２は、ファンモータ側面カバーＫよりも室内機１の端側（図２では右端側）に位置している。
【００２０】
ファンモータ４は円筒形であって、両方の端面に円筒状に成形された軸受部（図示せず）を持つモータ本体４１と、モータ本体４１に同軸に形成された駆動軸４２とを備える。ファンモータ４は、その駆動軸４２がファン９のボス９１に挿入され、駆動軸４２の法線方向に取り付けるネジ（図示せず）によりファン９に固定される。
ファンモータ４において、ファンモータ側面カバーＫ（手前カバー６及び奥カバー７）が取り付けられる側の軸受部にはファンモータ４の振動を防止するための防振ゴム１３が取り付けられている。ファンモータ４の右端側の軸受部（図示せず）は外方に突出するように形成されており、防振ゴム１３は当該軸受部を覆うとともに、当該軸受部に密着するように設置されている。したがって、図２において右端側の軸受部は防振ゴム１３に隠されている。
【００２１】
ファンモータ前面カバー５は、ファンモータ４を固定するとともに、ファンモータ４と室内機１内の通風路（及びファン９）とを仕切る構成となっている。またファンモータ側面カバーＫは防振構造を備えるとともに、ファンモータ前面カバー５に当接してファンモータ４をほぼ密封する。
以下、ファンモータ前面カバー５及びファンモータ側面カバーＫについて詳述する。
【００２２】
＜ファンモータ前面カバー＞
図３は、本発明の第１実施形態に係る空気調和機の室内機のファンモータ前面カバー及びファンモータ側面カバーの構成を示す分解斜視図である。
ファンモータ前面カバー５は合成樹脂からなり、右側に位置する右側端板５６と、左側に位置する左側端板５７と、上記右側端板５６と左側端板５７との間に位置する湾曲部５８とを有している。ファンモータ前面カバー５は背面ケーシング１０に固定され、室内機１に取り込まれた空気が熱交換器８を介して外部に出て行く際の通風路（及びファン９）とファンモータ４とを仕切る構成となっている。これによって、湿気を含んだ空気がファンモータ４に触れるのを防ぐことができる。
【００２３】
また、ファンモータ前面カバー５のファン９側の側面には壁５４（図５参照）が形成され、ファンモータ４が、その回転軸方向に移動するのを制限する。さらに、ファンモータ前面カバー５は、ファンモータ４のファン９側の軸受部５５（図５参照）を有し、当該軸受部５５によってファンモータ４を支持する。
ファンモータ前面カバー５はネジ（図示せず）によって背面ケーシング１０に固定されている。本実施形態では、ファンモータ４を取り外す際にはファンモータ前面カバー５を取り外す必要はなく、ファンモータ側面カバーＫを取り外してファンモータ４を室内機１の側方から抜き取る構成となっている。
【００２４】
＜ファンモータ側面カバー＞
図３に示すように、ファンモータ側面カバーＫは手前カバー６と奥カバー７とに分割されており、ファンモータ４の軸受部に取り付けられた防振ゴム１３を把持することによって、ファンモータ４を固定する。以下、ファンモータ側面カバーＫという記載は、手前カバー６及び奥カバー７を表すものとする。
ファンモータ側面カバーＫはモータ本体４１の側面（図２では右側面）と所定の間隔を開けて設置されている。つまり、ファン９のボス９１にファンモータ４が挿入され固定された状態において、ファンモータ前面カバー５は室内機１内の通風路（図示せず）からファンモータ４を仕切り、さらにファンモータ側面カバーＫがファンモータ４に取り付けられた防振ゴム１３を把持する構成となっている。
【００２５】
ファンモータ側面カバーＫは背面ケーシング１０に固定されるとともに、ファンモータ前面カバー５と接触する箇所の少なくとも一部に、ファンモータ側面カバーＫの振動を防止するための防振構造を備えている。
具体的には、ファンモータ側面カバーＫを構成する手前カバー６及び奥カバー７は背面ケーシング１０とそれぞれ一箇所でネジ止めされている。また、手前カバー６にはファンモータ前面カバー５の内側に設けられた凸部５１（図５参照）に対応する位置にツメ６２（図３参照）が設けられている。
【００２６】
（１．手前カバー）
図４は、本発明の第１実施形態に係る空気調和機の室内機から、前面ケーシング及び電装品箱を取り外した場合の斜視図である。
ファンモータ側面カバーＫを構成する手前カバー６は合成樹脂からなり、中心部に略円形の孔を有する略円形の板の一部を切り欠いた形状となっている。手前カバー６の軸受部６１は奥カバー７の軸受部７１とともに孔Ｘを形成する。したがって手前カバー６の軸受部６１は、防振部材１３の周面の形状に合わせた曲面を形成している。
孔Ｘによってつくられる輪の半径は、防振ゴム１３の周面によってつくられる輪の半径より多少小さくするように設計することが好ましい。これによって、防振ゴム１３を把持する際に、手前カバー６の軸受部６１及び奥カバー７の軸受部７１が防振ゴム１３（ファンモータ４の右端）に食い込むため、防振ゴム１３が設置されたファンモータ４の防振性を高めることができる。
【００２７】
図５は、本発明の第１実施形態に係る空気調和機の室内機において、背面ケーシングにファンモータ側面カバーの奥カバー及びファンモータ前面カバーが取り付けられた場合の部分拡大図である。なお、図５ではファンモータ４を取外した状態となっている。
手前カバー６の曲面部６３（図３参照）の前面及び上面は、ファンモータ前面カバー５の湾曲部５８の内側の右端に形成された曲面５３に当接するように形成されている。これによってファンモータ４の振動音が、ファンモータ前面カバー５及びファンモータ側面カバーＫによってつくられる空間の外部に漏れるのを防止することができる。
また、手前カバー６を前面カバー５に組み付けた場合に、手前カバー６の曲面部６３の左側の面は、ファンモータ前面カバー５の壁５２に当接するように形成されている。したがって、ファンモータ前面カバー５とファンモータ側面カバーＫとにより、ファンモータ４をほぼ密封することができるため、ファンモータ４の振動音が外部に漏れることを抑制することができる。
【００２８】
図３に示すように、手前カバー６の曲面部６３は一部切り欠かれて凹部６４が形成されており、当該凹部６４にツメ６２が収まるように形成されている。ツメ６２は略Ｓ字状（又は略Ｊ字状）に形成されており、凹部６４の底面と一体に形成されている。
ツメ６２の先端には突起部６２ａが設けられている。当該突起部６２ａは、手前カバー６を室内機１に組み付けた場合に、ファンモータ前面カバー５の湾曲部５８の内側の右端に形成された曲面５３に当接する。また、上記ツメ６２の突起部６２ａは、手前カバー６を室内機１に組み付けた場合に、ファンモータ前面カバー５の右端に形成されている壁５２と突起部５１との間に挟まれるように形成されている。
【００２９】
図６は、本発明の第１実施形態に係る空気調和機の室内機におけるファンモータ前面カバー及びファンモータ側面カバーの右側面図である。
手前カバー６を室内機１に組み付けた場合に、ツメ６２の突起部６２ａがファンモータ前面カバー５の曲面５３に当接し、押圧する。したがって、手前カバー６において前後又は上下方向の振動が発生した場合でも、ツメ６２の突起部６２ａとファンモータ前面カバー５の曲面５３とによって上記振動が吸収される。なお、突起部６２ａの高さ（手前カバー６を取り外した際に手前カバー６の曲面部６３からツメ６２の先端が出る程度；図３参照）を調整することによって、ファンモータ前面カバー５との固定の強度を調整することができる。
また、手前カバー６は、ファンモータ４の軸を中心とした放射方向（固定部Ａ付近では上下方向）に、強度向上のための補強部６５（図３参照）を備えている。
【００３０】
（２．奥カバー）
ファンモータ側面カバーＫを構成する奥カバー７は合成樹脂からなり、中心部に略円形の孔を有する略円形の板の一部（約３／４）を切り欠いた形状となっている。奥カバー７の軸受部７１は手前カバー６の軸受部６１とともに孔Ｘ（図４参照）を形成する。すなわち、軸受部７１は、扁平な円柱状に形成された防振ゴム１３の周面の形状に合わせた曲面を形成している。
また、奥カバー７の軸受部７１には、ファンモータ４の軸方向と平行に、断面三角形状の突起部７２（図３参照）が一条設けられている。手前カバー６及び奥カバー７によってファンモータ４を把持した場合、断面三角形状の一条の突起部７２がファンモータ４に取り付けられた防振ゴム１３に食い込むようになっている。
【００３１】
突起部７２は、ファンモータ４の回転軸方向に向かう高さを調整することによって、ファンモータ４に設置された防振ゴム１３を固定する強度を調整することができる。すなわち、突起部７２の高さを高くした場合には、その分、突起部７２が防振ゴム１３に深く食い込むことになり、固定の強度が強くなる。一方、突起部７２の高さを低くした場合には、その分、突起部７２が防振ゴム１３に浅く食い込むことになり、固定の強度が弱くなる。
なお、ファンモータ４の軸受部（防振ゴム１３）のサイズが変更された場合には、手前カバー６や奥カバー７全体の大きさを設計変更せずに、奥カバー７の軸受部７１に設置される突起部７２の高さを調整すればよい。ファンモータ４の各々のサイズに合わせて奥カバー７の突起部７２の高さを変更することで、各モータに対応することが可能になり、製造コストを削減することができる。
なお、上記の例では断面三角形状の突起部７２を一条としたが、突起部７２を複数条設けてもよい。また、軸受部７１上に突起部を散点的に設ける構成としてもよい。
【００３２】
図３では、奥カバー７が手前カバー６と接する面のうち手前側の垂直方向の面に、手前カバー６の凸部（図示せず）に嵌合するような凹部７５を設けている。
これによって、奥カバー７に手前カバー６を取り付ける際に、その組み付けが容易になるとともに、手前カバー６と奥カバー７が、より強固に固定されることになる。
上記の例では手前カバー６の凸部（図示せず）に嵌合するような凹部７５を、手前カバー６と奥カバー７が接する部分（面）の一方の側に設けた。手前カバー６と奥カバー７が接する部分（面）は二箇所あるが（図６参照）、当該二つの箇所のいずれか一方又は双方に、手前カバー６の凸部に当接する凹部を奥カバー７に設けるか、あるいは手前カバー６の凹部に嵌合する凸部を奥カバー７に設けてもよい。
また、奥カバー７の下部には、ファンモータ４のリード線（図示せず）を引き回すためのリード線引き回し溝７４が形成されている。また、奥カバー７は、ファンモータ４の軸を中心とした放射方向に、強度向上のための補強部７３を備えている。
【００３３】
＜各固定部について＞
図３に示すように、手前カバー６は固定部Ａ、Ｃ、及びＦを備え、それぞれ背面ケーシング１０、奥カバー７、及びファンモータ前面カバー５にネジ止めされる。手前カバー６の背面ケーシング１０との固定部Ａ、ファンモータ前面カバー５との固定部Ｆ、及び奥カバー７との固定部Ｃは、いずれも室内機１の前方側から後方側に向かってネジａ（図示せず）を挿入することにより固定できるように配置されている。なお、以下において「ネジａ」という記載は、各固定部Ａ，Ｂ，Ｃ，Ｄ，Ｅ，Ｆを固定する際に用いられるネジを示すものとする。また、ネジａは特許請求の範囲に記載の「固定具」に相当する。
【００３４】
上記のように配置するために固定部Ａは、手前カバー６を室内機１に組み付けた場合に、手前カバー６の複数の補強部６５によって補強される面より右側に延出される構成となっている。また、手前カバー６の前方側の端面６６は、固定部Ｃからネジａを取り外す際に、ネジａを室内機１の後方から前方に向かってまっすぐに引き抜けるように、水平な面と平行に形成されている。
【００３５】
奥カバー７は、固定部Ｂ及びＤを備え（図３参照）、それぞれ背面ケーシング１０、手前カバー６にネジａによりネジ止めされる。手前カバーの固定部（Ａ、Ｃ、Ｆ）と同様に、奥カバー７の背面ケーシング１０との固定部Ｂ及び手前カバー６との固定部Ｄは、いずれも室内機１の前方から後方に向かってネジａ（図５参照）を挿入することによって固定できるように配置されている。
上記のように固定部を配置するために固定部Ｂは、奥カバー７を室内機１に組み付けた場合に、奥カバー７の複数の補強部７３によって補強される面より右側に延出される構成となっている。
【００３６】
仮に、ファンモータ側面カバーＫが室内機１の側方からネジによって固定されていた場合には、ファンモータ４を室内機１から取り外す際に、室内機１の側方から工具を差し込むことになる。ここで、ファンモータ側面カバーＫが壁際になるように室内機１が設置されていた場合には、室内機１と壁との間は狭く、室内機１の側方から工具を差し込んでネジをはずす作業が困難なものとなる。
室内機１の前方から後方に向かってネジａを挿入するようにファンモータ前面カバー５の固定部Ｅ、手前カバー６の固定部Ａ・Ｃ・Ｆ、奥カバー７の固定部Ｂ・Ｄを配置することによって、室内機１の側方から工具を差し込む必要がなくなる。また、ネジａの位置の確認も正面なので容易である。したがって、室内機１の据付け位置に関わらず、ファンモータ４の取り外し作業を簡単に素早く行うことができるようになる。
【００３７】
＜ファンモータの取り外し手順＞
図７は、背面ケーシング、ファン、ファンモータ、ファンモータ前面カバー、及びファンモータ側面カバーを設置した状態を示す斜視図である。なお、図７ではファンモータ前面カバー５及びファンモータ側面カバーＫの各固定部（Ａ，Ｂ，Ｃ，Ｄ，Ｅ，Ｆ）を固定するためのネジａの図示は省略している。また、図７は熱交換器８（図２参照）やフィルタ１４（図４参照）が取り外された状態であるが、実際にファンモータ４を室内機から取り外す際には、図４に示すように熱交換器８やフィルタ１４を設置したままファンモータ４を室内機１から取り外すことができ、これは図８、図９についても同様である。
【００３８】
ファンモータ４を交換したい場合には、現在設置されているファンモータ４を室内機１から取り外して交換する必要があり、その作業は以下の手順で行われる。
まず、電源コード（図示せず）をコンセント（図示せず）から引き抜いた後、前面ケーシング（図示せず）を取り外す。次に電装品（図示せず）に接続されているリード線（図示せず）を外し、ファンモータ側面カバーＫの外方に位置する電装品箱１２（図２参照）を取り外す。そうすると、図７に示す状態となる。なお、電装品箱１２は前方に引き出すことで取り外すことができる。
【００３９】
電装品箱１２を取り外した後にできる空間は、ファンモータ側面カバーＫ（手前カバー６及び奥カバー７）を取り外した後のファンモータ４の搬出路となる。つまり、本実施形態に係る空気調和機Ａは、ファンモータ４の取り外しに際して、ファンモータ側面カバーＫの隣に収容されている電装品箱１２を前方に引き抜くことで、ファンモータ４の取り外しを行う作業スペースを確保する。
室内機１の組立時には電装品箱１２（図２参照）を収納する空間をファンモータ４の搬出路とすることで、ファンモータ４の搬出のみを目的とした空間を形成する必要がなくなる。したがって、その分だけ熱交換器８（図２参照）の幅を広くすることが可能になり、空気調和機Ａの性能を向上させることができる。
【００４０】
図７に示す状態からファンモータ側面カバーＫの一要素である手前カバー６を取り外す作業は、以下のようにして行う。すなわち、手前カバー６の固定部Ａを背面ケーシング１０に固定しているネジａ（図示せず）、手前カバー６の固定部Ｃと奥カバー７の固定部Ｄとを固定しているネジａ（図示せず）、手前カバー６の固定部Ｆとファンモータ前面カバー５の固定部Ｅとを固定しているネジａ（図示せず）を取り外す。上記各ネジａを取り外す順序は任意であるが、いずれも前方側から作業することができる。その後、手前カバー６を右側にずらし、さらに正面側に引き抜くように取り外す。
手前カバー６を取り外した後、ファン９とファンモータ４とを固定しているネジ（図示せず）を取り外す。この取り外しも正面からの作業であり、片手で行うことができる。
【００４１】
図７に示すように、ファンモータ前面カバー５、手前カバー６、及び奥カバー７の各固定部（Ａ，Ｂ，Ｃ，Ｄ，Ｅ，Ｆ）は、上記各ネジａが取り外される際の進行方向が、室内機１の側面と略平行となるように形成されている。例えば本実施形態では、作業者によって上記各ネジａが取り外される際の各ネジａの進行方向は、室内機の後方から前方（図７参照）に向かう。
【００４２】
作業者は、手前カバー６を取り外す際に、室内機１の前後方向（図７参照）に工具を操作すればよい。したがって、ファンモータ４が取り付けられている側の壁際に室内機１が設置されており、壁と室内機１との空間が狭い場合でも、本実施形態に係る空気調和機Ａでは、作業者が容易に保守作業を行うことができる。
【００４３】
図８は、図７の状態からファンモータ側面カバーの手前カバーを取り外した状態を示す斜視図である。なお、図８では奥カバー７の固定部Ｂを背面ケーシング１０に固定するためのネジａの図示は省略している。
図８に示すようにファンモータ側面カバーＫの手前カバー６が取り外されて奥カバー７が残った状態において、ファンモータ４は奥カバー７により下方から支持されている。すなわち、手前カバー６が取り外された状態でも、奥カバー７に設けられた軸受部７１（図３参照）がファンモータ４を下方から支えることにより、ファンモータ４が落下しないように構成されている。なお、奥カバー７を背面ケーシング１０に設置した状態で、軸受部７１の手前側の先端（固定部Ｄ）が、ファンモータ４の回転軸より前方に出るように形成されている。
【００４４】
仮に、ファンモータ側面カバーＫのうち手前カバー６が取り外され、奥カバー７のみが背面ケーシング１０に固定されている状態においてファンモータ４を支持できない場合には、次のような事態が生ずる。すなわち、手前カバー６を取り外そうとする場合に作業者は、ファンモータ４が落下しないように一方の手でファンモータを支え、かつ、手前カバー６をも支えながら、他方の手でネジ等を取り外す必要がある。
これに対して本実施形態では、手前カバー６を取り外した状態でもファンモータ４は落下しない。したがって作業者は、手前カバー６を固定する３箇所の固定部（Ａ，Ｃ・Ｄ，Ｅ・Ｆ；図７参照）のうち、２箇所のネジａを取り外した後、残る一箇所のネジａを取り外す際に手前カバー６が落下しないように手前カバー６支えればよいことになる。
したがって、手前カバー６を取り外す際の作業者の負担が軽減される。
【００４５】
また、奥カバー７は一箇所（固定部Ａ）で背面ケーシング１０に固定されている。仮に奥カバー７が背面ケーシング１０に複数箇所で固定されている場合には、次のような事態が生ずる。すなわち、奥カバー７を取り外そうとする場合に作業者は、ファンモータ４が落下しないように一方の手でファンモータを支え、かつ、奥カバー７をも支えながら、他方の手でネジ等を取り外す作業を複数回行う必要がある。
これに対して本実施形態では、奥カバー７を背面ケーシング１０に固定するための固定部は一箇所（固定部Ａ）である。よって、作業者は奥カバー７を背面ケーシング１０から取り外す際に、上記のような面倒な作業を繰り返す必要がなく、一回だけ行えばよいことになる。なお手前カバー６の場合と同様、奥カバー７を取り外す際に作業者は、室内機１の前後方向（図８参照）に工具を操作すればよい。
したがって、奥カバー７を取り外す際の作業者の負担も軽減される。
【００４６】
図９は、図８の状態からファンモータ側面カバーの奥カバーを取り外した状態を示す斜視図である。
図９の状態において、作業者はファンモータ４を側方（図９では右側）に移動させ、電装品箱１２を設置していた空間を搬出路の一部とし、ファンモータ４を室内機１から取り外す。ファンモータ９を室内機１から取り外す際に、ファンモータ前面カバー５を取り外す必要はなく、前面ケーシング（図示せず）、電装品箱１２（図２参照）、及びファンモータ側面カバーＫを取り外せば、ファンモータ４の搬出路が形成される構成となっている。
したがって、ファンモータ９を室内機１から取り外す際に、フィルタ１４（図４参照）、熱交換器８（図２参照）、ファン９（図２参照）等を取り外す必要はなく、保守作業を簡単かつ迅速に行うことができる。
【００４７】
また、ファンモータ前面カバー５を取り外す必要がないので、ファンモータ前面カバー５を取り出すための空間を設ける必要がなく、その分だけ熱交換器８（図２参照）の幅を広くすることが可能になり、空気調和機Ａの性能を向上させることができる。
【００４８】
≪その他の実施形態≫
上記において本発明の第１実施形態について説明したが、本発明は上記実施形態に限定されるものではなく、その趣旨を逸脱しない範囲において、適宜設計変更することができる。
第１実施形態で説明した空気調和機Ａでは、ファンモータ前面カバー５、手前カバー６、奥カバー７の各固定部（Ａ，Ｂ，Ｃ，Ｄ，Ｅ，Ｆ）は、それらを固定する各ネジａ（固定具）が取り外される際の進行方向が室内機１の後方から前方（図７参照）に向かうように構成されていた。
上記各固定部を固定する各ネジが取り外される際の進行方向は、室内機１の側面（右側面及び左側面を指す）と略平行であるように形成されていればよく、室内機１の後方から前方（図７参照）への向きに限定されない。
この場合でも、ファンモータ４が設置されている側の室内機１の側面と壁との間が狭い状況において、作業者は容易に手前カバー６及び奥カバー７を取り外すことができる。
【００４９】
また、第１実施形態で説明した空気調和機Ａでは、ファンモータ側面カバーＫは手前カバー６と奥カバー７の２部品に分割されていたが、ファンモータ側面カバーＫを３部品以上に分割してもよい。
また、第１実施形態で説明した空気調和機Ａでは、ファンモータ側面カバーＫを構成する手前カバー６と奥カバー７とは独立した構成となっていたが、手前カバー６と奥カバー７とをヒンジ（図示せず）により接続された一体型としてもよい。
【００５０】
また、第１実施形態において説明した空気調和機Ａでは、ファンモータ前面カバー５、手前カバー６、奥カバー７の各固定部（Ａ，Ｂ，Ｃ，Ｄ，Ｅ，Ｆ）はネジ止めにて固定されていたが、上記各固定部はネジ止めに替えてツメにて固定される構成としてもよい。この場合には、工具を用いる必要がないため、室内機１の保守作業をより簡単かつ迅速に行うことができる。
また、上記各固定部の中の一部（例えば、背面ケーシング１０との固定部Ａ，Ｂ）はネジ止めされ、他の固定部はツメにて固定される構成としてもよい。
【符号の説明】
【００５１】
Ａ  空気調和機
１  室内機
２  室外機
３  リモコン
４  ファンモータ
４１  モータ本体
４２  駆動軸
５  ファンモータ前面カバー
５１  凸部
５２  壁
５３  曲面
５４  壁
５５  軸受部
５６  右側端板
５７  左側端板
５８  湾曲部
Ｋ  ファンモータ側面カバー
６  手前カバー（側面カバー）
６１  軸受部
６２  ツメ
６２ａ  突起部（防振構造）
６３  曲面部
６４  凹部
６５  補強部
６６  端面
７  奥カバー（側面カバー）
７１  軸受部
７２  突起部
７３  補強部
７４  リード線引き回し溝
７５  凹部
８  熱交換器
９  ファン
９１  ボス
１０  背面ケーシング
１１  据付板
１２  電装品箱
１３  防振ゴム
１４  フィルタ
Ａ，Ｂ，Ｃ，Ｄ，Ｅ，Ｆ  固定部
Ｘ  孔
Ｈ  水平面
θ  角
ａ  ネジ（固定具）
【図１】
2012112546.tif 000003
【図２】
2012112546.tif 000004
【図３】
2012112546.tif 000005
【図４】
2012112546.tif 000006
【図５】
2012112546.tif 000007
【図６】
2012112546.tif 000008
【図７】
2012112546.tif 000009
【図８】
2012112546.tif 000010
【図９】
2012112546.tif 000011